(57)【要約】【課題】風呂上り後に繰り返し使用しても、良好な足裏触感を維持可能で、しかも、特別な止め手段を使用しなくても、スリッパにセット可能なスリッパ用中敷を提供すること。【解決手段】汎用のスリッパ１３にセットして繰り返し使用可能なスリッパ用中敷１１。中敷本体１５が、耐水性で弾力性を有する天然素材ストリップ１７で形成されるとともに、少なくとも幅方向に剛性又は撓み弾性を有し、かつ、水浸透構造を有する。そして、中敷本体１５は、適宜、布帛からなる裏打ちシート１８および、裏打ちシート１８を備えた中敷本体の周縁を挟持する縁取りストリップ２１を備えている。【選択図】図１
0003112056.tif 000002
【実用新案登録請求の範囲】
【請求項１】
スリッパに着脱自在な中敷であって、
中敷本体が、耐水性の天然素材ストリップで形成されるとともに、少なくとも幅方向に剛性又は撓み弾性を有し、かつ、水浸透構造を有することを特徴とするスリッパ用中敷。
【請求項２】
前記中敷本体が、天然素材ストリップを長手方向に直交する方向で並列結合させたもので形成されていることを特徴とする請求項１記載のスリッパ用中敷。
【請求項３】
前記中敷本体が、天然素材ストリップを編み結合させたもので形成されていることを特徴とする請求項１記載のスリッパ用中敷。
【請求項４】
前記編み結合が、あじろ編みであることを特徴とする請求項３記載のスリッパ用中敷。
【請求項５】
さらに、前記中敷本体の裏面に耐水性並びに通気性及び／又は吸水性を備えた可撓性の裏打シートを備えていることを特徴とする請求項２、３又は４記載のスリッパ用中敷。
【請求項６】
前記裏打ちシートが、布帛であることを特徴とする請求項５記載のスリッパ用中敷。
【請求項７】
前記布帛が不織布であることを特徴とする請求項６記載のスリッパ用中敷。
【請求項８】
さらに、前記中敷本体と前記裏打ちシートとの周縁を挟持する縁取りストリップを備えていることを特徴とする請求項５、６又は７記載のスリッパ用中敷。
【請求項９】
さらに、前記中敷本体の周縁を挟持する縁取りストリップを備えていることを特徴とする請求項１〜４のいずれかに記載のスリッパ用中敷。
【請求項１０】
前記天然素材が籐製又は竹製であることを特徴とする請求項１〜９のいずれかに記載のスリッパ用中敷。
【請求項１１】
履物に着脱自在な中敷であって、
中敷本体が、耐水性の天然素材ストリップで形成されるとともに、少なくとも幅方向に剛性又は撓み弾性を有し、かつ、水浸透構造を有することを特徴とする履物用中敷。
【考案の詳細な説明】
【技術分野】
【０００１】
本考案は、スリッパ用中敷に関する。特に、旅館、ホテル等の各種宿泊施設や、さらには、健康ランド等の各種公衆入浴施設で風呂上り等に好適なスリッパ用中敷に関する。
【０００２】
なお、本明細書で、「スリッパ」とは、足載せ部の前部に甲係合部を結合させ、つま先挿入部を備えた汎用のものを指し、室内履きに限られるものではない。
【背景技術】
【０００３】
各種宿泊施や各種公衆入浴施設等においては、スリッパ等の上履きが、多数常備されている。それは、施設内において、歩行する際の、足裏の保護のためである。
【０００４】
しかし、上記のような施設では、不特定多数のものが、スリッパを利用するため、不衛生であり、水虫等の感染のおそれものあり、さらには、足裏からの発汗により、汚れや劣化（雑菌の繁殖による）が促進される。
【０００５】
このため、客商売のこれらの施設では、サービス向上の見地から、消毒したり、スリッパの新品交換期間を、相対的に短くする必要があり、経費増大につながっていた。
【０００６】
また、これらの施設におけるスリッパは、水で拭いたり、洗ったりすることが可能で、しかも、製造原価が低コストとなる、プラスチック製（例えば、ポリ塩化ビニル製）のものが主流である。
【０００７】
しかし、プラスチック製のスリッパは、使用時において、足裏の触感が良好でなく、さらには、足裏の発汗作用も阻害する。
【０００８】
これらの事情から、着脱可能なスリッパ用中敷（上敷）に係る考案が、実用新案文献１・２等において提案されている。なお、下記において、文献間には、用語の不統一が見られるが、各文献における用語を尊重して使用した。
【０００９】
実用新案文献１においては、「ミネラル成分を含有した陶質粘度及び磁器質粘度を造粒焼成したセラミックス粒をベース全面に介在させた中敷」に係るものである（請求項３・４等参照）。
【００１０】
しかし、本文献に係る考案は、セラミックス粒を含むため、相対的に使用時に重量増大を来たし易く、また、発汗等の吸収作用は、ほとんど無いものと推定される。
【００１１】
実用新案文献２においては、「足型に成型した合成紙を、スリッパ台の上面に部分的に面ファスナー（マジックテープ（登録商標））を配置し、該面ファスナーに接着しやすいように裏面に起毛面を備えた合成紙からなる上敷きを設けた上敷付きスリッパ」に係るものである（段落０００５〜０００６等参照）。
【００１２】
しかし、本文献に係る中敷（上敷き）は、紙で形成されており、風呂上り等における使用（特に、温泉場のように何度も入浴する。）を想定しておらず、また、スリッパ側に固定する手段（面ファスナー）を別に必要とする。本文献における中敷（上敷）は、自宅へ持ち帰って繰り返し使用することを想定していない。
【００１３】
実用新案文献３においては、「紙や不織布、フェルトの素材で中敷（足裏に接触する底敷きと足の前方上面を覆う上敷き）を形成し、底敷きと上敷きに両面テープ等を貼着しておいて、スリッパに着脱可能とした中敷」に係るものである（段落０００８等参照）。
【００１４】
本文献においても、中敷は、紙や不織布であり、風呂上りの濡れた足では、強度的に充分ではなく、また、相当期間、良好な足裏感触を維持することは、困難であると推定される。また、上記同様、本文献の中敷は使い捨てであり、自宅へ持ち帰って繰り返し使用することを想定していない。
【００１５】
【特許文献１】特開平７−１０８００１号公報
【００１６】
【特許文献２】特開平９−２８５３０２号公報
【００１７】
【特許文献３】特開平１０−１０８７０７号公報
【考案の開示】
【考案が解決しようとする課題】
【００１８】
本考案は、上記にかんがみて、風呂上り後等に繰り返し使用しても、良好な足裏触感を維持可能で、しかも、特別な止め手段を使用しなくても、スリッパにセット可能なスリッパ用中敷を提供することを目的とする。
【課題を解決するための手段】
【００１９】
本考案に係るスリッパ用中敷は、上記課題を下記構成により解決する。
【００２０】
中敷本体が、耐水性で弾力性を有する天然素材ストリップで形成されるとともに、少なくとも幅方向に剛性又は撓み弾性を有し、かつ、水浸透構造を有することを特徴とする。
【００２１】
中敷本体が、耐水性を有する天然素材で形成され、しかも、水浸透構造を有するため、風呂上り等の濡れた足で使用しても、表面水気がすぐに消失し、強度低下もない。このため、足裏の快適感を維持しながら何度も繰り返して使用できる。
【００２２】
また、幅方向に剛性又は撓み弾性を有し、天然素材で形成され、しかも、少なくとも幅方向に撓み及び／又は縮み弾性を有するため、スリッパのつま先挿入部に強制挿入すれば、通常に使用する範囲では、ずれ落ちることはない。
【００２３】
上記構成において、中敷本体は、例えば、天然素材ストリップを長手方向に直交する方向で並列結合させたもので形成することができる。天然素材ストリップを並列結合させた場合は、中敷本体を幅方向に剛性を有するものとすることができる。並列結合はストリップを並べて長手方向に紐で結合させるだけなので製造容易である。
【００２４】
上記構成において、中敷本体は、例えば、天然素材ストリップを編み結合させたもので形成することができる。天然素材ストリップを編み結合させた場合は、幅方向に撓み弾性を有するものとすることができる。並列結合に比して、相対的に、細いストリップを使用するため（前者：５ｍｍ前後、後者：２ｍｍ前後）、水浸透性が向上し、さらには、意匠的な高級感を付与できる。
【００２５】
上記編み結合は、あじろ編みが望ましい。一本ずつ交互にストリップを交差させるため、縦方向ばかりでなく、水平方向の隙間も生じて、水浸透性が向上し、足裏触感をさらに向上させることができ、また、意匠的な高級感もさらに増大する。
【００２６】
上記各構成のスリッパ用中敷において、さらに、中敷本体の裏面に耐水性並びに通気性及び／又は吸水性を備えた可撓性の裏打シートを備えた構成とすることもできる。裏打ちシートを備えることにより、中敷本体の形態保持性を確保し易くなる。なお、裏打ちシートにおける耐水性等の他の特性は、本発明の効果を奏するための特性である。
【００２７】
そして、裏打ちシートは、プラスチックシートでもよいが、通常、布帛、さらには、不織布（フェルトを含む。）が望ましい。不織布は、耐水性並びに通気性を有するとともに、形態保持性さらには表面凹凸により滑り止めの作用も期待できる。
【００２８】
そして、上記各構成のスリット用中敷において、中敷本体の、又は、裏打ちシートを備えた中敷本体の周縁を挟持する縁取りストリップを備えた構成とすることもできる。ストリップ本体の形態安定性及び縁からの解れ（ホツレ）を防止するためである。
【００２９】
上記天然素材ストリップは、籐ストリップ又は竹ストリップ、特に、籐ストリップが望ましい。天然素材のうちで、「籐」は、光沢、感触、耐久性に優れるとともに、他の一般天然素材に比較して吸湿性・通気性に優れ水分や湿気に強く、かつ調湿性を備えるため、じめじめした感じを与えない。すなわち、風呂上りの濡れた足を載せても、足裏触感が良好である。なお、籐は、高温多湿の東南アジアで栽培されるヤシ科蔓性木本の茎である。
【考案を実施するための最良の形態】
【００３０】
図１に示すものは、本考案の一実施形態のスリッパ用中敷１１及び該中敷１１をはめ込む（押し込む）汎用（既製）のスリッパ１３を示す。
【００３１】
図例では、図１に示す如く、スリッパの足載せ部の形状に対応させた中敷本体１５を、籐ストリップ（幅５ｍｍ前後）１７を長手方向に直交させて並列して紐（糸）１９で結合させた「籐表」を素材とするものである。「籐表」は、編み構造体に比して、製造が容易である。
【００３２】
ここで、籐ストリップ１７は、前述の如く、光沢、感触、耐久性に優れるとともに、他の一般の天然素材に比較して吸湿性・通気性にも優れ水分や湿気に強く、かつ調湿性を備えており、風呂上りの濡れた足を載せても、べた付き感やじめじめ感をほとんど発生させない。
【００３３】
なお、天然素材ストリップは、ある程度の剛性と撓み性を有すれば、特に限定されない。例えば、竹ストリップ等の使用も可能である。
【００３４】
そして、中敷本体１５の裏面には、布帛１８で裏打ちされている。布帛としては、平織、メリヤス、不織布等任意であるが、不織布（フェルトを含む。）が、滑り止め作用が大きく、また、安価に入手可能である等の見地から望ましい。また、布帛の構成繊維も、特に限定されないが、例えば、不織布の場合、耐水性と吸湿性のバランスから、合成繊維と吸水性の良好な天然繊維との混合繊維が望ましい。例えば、ポリエステル／綿、ビニロン／綿等の組み合わせが考えられる。不織布とするときは、不織布に多用されている再生ポリエステル（ＰＥＴ）が望ましい。
【００３５】
また、布帛の代わりに、耐水性並びに通気性及び／又は吸水性のプラスチックシートを貼着してもよい。例えば、多孔プラスチックシートや吸水ポリマーシートを使用可能である。
【００３６】
なお、裏打ちは、耐水性を有する接着剤（例えば、ポリ酢酸ビニル系又はゴム系）を使用して行う。
【００３７】
さらに、布帛１８が裏面に接着された中敷本体１５の周縁を挟持する縁取りストリップ２１を備えている。なお、縁取りストリップ２１の取付け態様は、接着でもよいが、耐水糸を用いた縫合によることが、固定が確実となる。また、縁取りストリップ２１の材質は、通常、感触の良い綿布や麻布（例えば織布）からなる布帛リボン（テープ）とするが、合成繊維織の織布からなる布帛リボンやプラスチックテープでもよい。
【００３８】
次に、上記実施形態の使用態様について説明をする。
【００３９】
旅館・ホテル等の宿泊施設において、宿泊客に上記中敷１１を手渡し、又は、宿泊室に備え付けておく。
【００４０】
そして、宿泊客は、備え付けの汎用（既製）スリッパ１３のつま先入れ部（甲覆い部）１４に、中敷１１を押し込む。すると、摩擦力で中敷は、汎用スリッパに保持される。このとき、スリッパの表面が平滑面で中敷がずり落ちるおそれがあるときは、下記のような措置をとる。
【００４１】
スリッパ用中敷１１の裏面に滑り止め処理（例えば、粘着付与スプレーを使用する。）しておくか、繰り返し使用可能な両面テープや滑り止めシート（ノンスリップ材）を貼着しておく。
【００４２】
そして、旅館内を歩行するに際して、使用すると、足裏触感が良好で、あり、さらに、大浴場に入浴後、足の裏が多少濡れていても、天然素材ストリップで形成された中敷本体で吸収されて、足の裏がべとつくようなことはない。
【００４３】
さらに、夏季の発汗作用が激しいとき、宿泊施設に戻ってきたときも、足裏がべとつくことなく快適である。
【００４４】
そして、施設利用後は、持ち帰って家庭で繰り返し使用をすることができる。
【００４５】
図４に示すものは、上記実施形態において、中敷本体１５Ａを、籐ストリップを並列結合させた籐表に代えて、幅狭の籐ストリップ（２ｍｍ前後）を編み結合させて、中敷本体に撓み性・弾力性を付与したたものである。より具体的には、図例では、編み結合のうちでも優れた撓み性・弾力性を付与できる斜めあじろ編み（木目あじろ編み）としたものである。
【００４６】
なお、編み結合は、あじろ編みに限らず、ますあじろ編み、素編み、四つ目（元禄）編み、市松模様編み、目積み編み、等任意である。
【００４７】
スリッパ用中敷１１Ａを既製のスリッパ１３のつま先挿入部１４へ挿入したときの、スリッパ足載せ部に対する馴染み性が、前記実施形態に比して、向上し、歩いたときの走行安定性も向上する。あじろ編みの場合、撓み性を縦・横の双方に備えているためである。
【００４８】
籐ストリップをあじろ編みで中敷本体１５を形成したため、籐ストリップ１７Ａが吸湿・乾燥して伸縮しても、編目でその伸び縮みを吸収し、中敷１５が安定してスリッパに保持される。
【００４９】
使用態様は、前記実施形態と同様である。
【産業上の利用可能性】
【００５０】
以上、スリッパ用中敷について説明をしたが、本考案のスリッパ用中敷は、通常の靴用やサンダル用の履物用中敷としても使用可能である。
【図面の簡単な説明】
【００５１】
【図１】本考案における一実施形態のスリッパ用中敷とそれを適用するスリッパの斜視図である。
【図２】図１におけるスリッパ用中敷の２−２線拡大断面図である。
【図３】図１のスリッパ用中敷の使用態様を示す斜視図である。
【図４】本考案の他の実施形態におけるスリッパ用中敷とそれを適用する汎用スリッパの各斜視図である。
【符号の説明】
【００５２】
１１、１１Ａ  スリッパ用中敷
１３  汎用（既製）スリッパ
１５、１５Ａ  中敷本体
１７、１７Ａ  天然素材（籐ストリップ）
１８  裏打ちシート（布帛）
２１  縁取りストリップ
【図１】
0003112056.tif 000003
【図２】
0003112056.tif 000004
【図３】
0003112056.tif 000005
【図４】
0003112056.tif 000006